【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
筒状の筒部（３１）の先端部が曲面状の底部（３２）によって閉塞された有底筒状の固体電解質体（３）と、
少なくとも前記筒部の外側面（３０１）に設けられて、前記固体電解質体の外側に導かれる検出ガス（Ｇ）に晒される検出電極（４Ａ）と、
少なくとも前記筒部の内側面（３０２）に設けられて、前記固体電解質体の内側に導かれる基準ガス（Ｇ）に晒される基準電極（４Ｂ）と、を有するセンサ素子（２）を備えるガスセンサ（１）において、
前記検出電極は、
前記筒部の中心軸線（Ｏ）に沿った軸方向（Ｌ）の先端側の位置において、前記中心軸線を中心とする周方向（Ｃ）の全周又は一部に設けられた検知電極部（４１）と、
前記軸方向の基端側の位置において、前記周方向の全周又は一部に設けられ、前記筒部の外周に装着された端子金具（７１）と接触する装着電極部（４３）と、
前記検知電極部と前記装着電極部とを繋ぐ位置において、前記周方向の一部に設けられ、前記装着電極部に比べて前記周方向における形成範囲が狭いリード電極部（４２）と、を有し、
前記固体電解質体の前記筒部と前記装着電極部及び前記リード電極部との間には、前記固体電解質体と前記装着電極部及び前記リード電極部との間を絶縁する絶縁層（２２）が設けられており、
前記筒部の前記軸方向における基端側の端部には、前記絶縁層が設けられずに前記筒部の前記外側面が露出する部分が形成されている、ガスセンサ。
【請求項２】
筒状の筒部（３１）の先端部が曲面状の底部（３２）によって閉塞された有底筒状の固体電解質体（３）と、
少なくとも前記筒部の外側面（３０１）に設けられて、前記固体電解質体の外側に導かれる検出ガス（Ｇ）に晒される検出電極（４Ａ）と、
少なくとも前記筒部の内側面（３０２）に設けられて、前記固体電解質体の内側に導かれる基準ガス（Ｇ）に晒される基準電極（４Ｂ）と、を有するセンサ素子（２）を備えるガスセンサ（１）において、
前記検出電極は、
前記筒部の中心軸線（Ｏ）に沿った軸方向（Ｌ）の先端側の位置において、前記中心軸線を中心とする周方向（Ｃ）の全周又は一部に設けられた検知電極部（４１）と、
前記軸方向の基端側の位置において、前記周方向の全周又は一部に設けられ、前記筒部の外周に装着された端子金具（７１）と接触する装着電極部（４３）と、
前記検知電極部と前記装着電極部とを繋ぐ位置において、前記周方向の一部に設けられ、前記装着電極部に比べて前記周方向における形成範囲が狭いリード電極部（４２）と、を有し、
前記固体電解質体の前記筒部と前記装着電極部及び前記リード電極部との間には、前記固体電解質体と前記装着電極部及び前記リード電極部との間を絶縁する絶縁層（２２）が設けられており、
前記絶縁層の前記軸方向における基端側の端部は、前記装着電極部における前記軸方向の基端側の端部よりも基端側まで設けられて、前記筒部の外側面に露出しており、かつ、前記筒部の前記軸方向の基端側から先端側に向けて前記筒部の外周に装着される前記端子金具を案内するよう、前記筒部の前記軸方向の基端側へ行くほど前記中心軸線を中心とする径方向（Ｒ）の厚みが縮小するテーパ状表面（２２１）を有する、ガスセンサ。
【請求項３】
前記中心軸線に対する前記テーパ状表面の傾斜角度は、６０°以下である、請求項２に記載のガスセンサ。
【請求項４】
筒状の筒部（３１）の先端部が曲面状の底部（３２）によって閉塞された有底筒状の固体電解質体（３）と、
少なくとも前記筒部の外側面（３０１）に設けられて、前記固体電解質体の外側に導かれる検出ガス（Ｇ）に晒される検出電極（４Ａ）と、
少なくとも前記筒部の内側面（３０２）に設けられて、前記固体電解質体の内側に導かれる基準ガス（Ｇ）に晒される基準電極（４Ｂ）と、を有するセンサ素子（２）を備えるガスセンサ（１）において、
前記検出電極は、
前記筒部の中心軸線（Ｏ）に沿った軸方向（Ｌ）の先端側の位置において、前記中心軸線を中心とする周方向（Ｃ）の全周又は一部に設けられた検知電極部（４１）と、
前記軸方向の基端側の位置において、前記周方向の全周又は一部に設けられ、前記筒部の外周に装着された端子金具（７１）と接触する装着電極部（４３）と、
前記検知電極部と前記装着電極部とを繋ぐ位置において、前記周方向の一部に設けられ、前記装着電極部に比べて前記周方向における形成範囲が狭いリード電極部（４２）と、を有し、
前記固体電解質体の前記筒部と前記装着電極部及び前記リード電極部との間には、前記固体電解質体と前記装着電極部及び前記リード電極部との間を絶縁する絶縁層（２２）が設けられており、
前記絶縁層の前記軸方向における基端側の端部（２２２）は、前記筒部の外側面から前記筒部の基端側の端面（３１１）まで連続して設けられており、
前記筒部の基端側の角部に位置する前記絶縁層の角部（２２３）は、曲面状に形成されている、ガスセンサ。
【請求項５】
前記基準電極に接触する前記基準ガスと、前記検出電極に接触する前記検出ガスとの酸素濃度の差によって、前記固体電解質体を介して前記検出電極と前記基準電極との間に生じる起電力を検出するよう構成されている、請求項１〜４のいずれか１項に記載のガスセンサ。
【請求項６】
前記固体電解質体の前記筒部の外側面には、少なくとも前記検出電極の前記検知電極部の全体を覆い、前記検出ガスの拡散を制限する拡散抵抗層（２１）が設けられており、
前記検出電極と前記基準電極との間に電圧が印加された状態において、前記固体電解質体を介して前記検出電極と前記基準電極との間に生じる限界電流を検出するよう構成されている、請求項１〜４のいずれか１項に記載のガスセンサ。
【請求項７】
前記絶縁層における、前記筒部と前記装着電極部及び前記リード電極部との間に位置する部位の最小厚みは、４μｍ以上である、請求項１〜６のいずれか１項に記載のガスセンサ。
【請求項８】
前記固体電解質体は、ジルコニアを含有し、
前記基準電極及び前記検出電極は、貴金属を含有し、
前記絶縁層は、酸化アルミニウム、スピネル及び絶縁性ガラスのうちの少なくとも１種類以上を含有する、請求項１〜７のいずれか１項に記載のガスセンサ。
【請求項９】
前記ガスセンサは、前記検出ガスとしての排ガスが流れる、内燃機関（８）の排気管（８１）内に配置されるものであり、
前記排気管内には、１つの触媒（８２Ａ）、又は前記排ガスの流れの方向に並んで複数の触媒（８２Ａ，８２Ｂ）が配置されており、
前記ガスセンサは、少なくとも１つの前記触媒よりも、前記排気管内の前記排ガスの流れの下流側に配置されるものである、請求項１〜８のいずれか１項に記載のガスセンサ。
【手続補正２】
【補正対象書類名】明細書
【補正対象項目名】００１０
【補正方法】変更
【補正の内容】
【００１０】
本発明の一態様は、筒状の筒部（３１）の先端部が曲面状の底部（３２）によって閉塞された有底筒状の固体電解質体（３）と、
少なくとも前記筒部の外側面（３０１）に設けられて、前記固体電解質体の外側に導かれる検出ガス（Ｇ）に晒される検出電極（４Ａ）と、
少なくとも前記筒部の内側面（３０２）に設けられて、前記固体電解質体の内側に導かれる基準ガス（Ｇ）に晒される基準電極（４Ｂ）と、を有するセンサ素子（２）を備えるガスセンサ（１）において、
前記検出電極は、
前記筒部の中心軸線（Ｏ）に沿った軸方向（Ｌ）の先端側の位置において、前記中心軸線を中心とする周方向（Ｃ）の全周又は一部に設けられた検知電極部（４１）と、
前記軸方向の基端側の位置において、前記周方向の全周又は一部に設けられ、前記筒部の外周に装着された端子金具（７１）と接触する装着電極部（４３）と、
前記検知電極部と前記装着電極部とを繋ぐ位置において、前記周方向の一部に設けられ、前記装着電極部に比べて前記周方向における形成範囲が狭いリード電極部（４２）と、を有し、
前記固体電解質体の前記筒部と前記装着電極部及び前記リード電極部との間には、前記固体電解質体と前記装着電極部及び前記リード電極部との間を絶縁する絶縁層（２２）が設けられており、
前記筒部の前記軸方向における基端側の端部には、前記絶縁層が設けられずに前記筒部の前記外側面が露出する部分が形成されている、ガスセンサにある。
本発明の他の態様は、筒状の筒部（３１）の先端部が曲面状の底部（３２）によって閉塞された有底筒状の固体電解質体（３）と、
少なくとも前記筒部の外側面（３０１）に設けられて、前記固体電解質体の外側に導かれる検出ガス（Ｇ）に晒される検出電極（４Ａ）と、
少なくとも前記筒部の内側面（３０２）に設けられて、前記固体電解質体の内側に導かれる基準ガス（Ｇ）に晒される基準電極（４Ｂ）と、を有するセンサ素子（２）を備えるガスセンサ（１）において、
前記検出電極は、
前記筒部の中心軸線（Ｏ）に沿った軸方向（Ｌ）の先端側の位置において、前記中心軸線を中心とする周方向（Ｃ）の全周又は一部に設けられた検知電極部（４１）と、
前記軸方向の基端側の位置において、前記周方向の全周又は一部に設けられ、前記筒部の外周に装着された端子金具（７１）と接触する装着電極部（４３）と、
前記検知電極部と前記装着電極部とを繋ぐ位置において、前記周方向の一部に設けられ、前記装着電極部に比べて前記周方向における形成範囲が狭いリード電極部（４２）と、を有し、
前記固体電解質体の前記筒部と前記装着電極部及び前記リード電極部との間には、前記固体電解質体と前記装着電極部及び前記リード電極部との間を絶縁する絶縁層（２２）が設けられており、
前記絶縁層の前記軸方向における基端側の端部は、前記装着電極部における前記軸方向の基端側の端部よりも基端側まで設けられて、前記筒部の外側面に露出しており、かつ、前記筒部の前記軸方向の基端側から先端側に向けて前記筒部の外周に装着される前記端子金具を案内するよう、前記筒部の前記軸方向の基端側へ行くほど前記中心軸線を中心とする径方向（Ｒ）の厚みが縮小するテーパ状表面（２２１）を有する、ガスセンサにある。
本発明のさらに他の態様は、筒状の筒部（３１）の先端部が曲面状の底部（３２）によって閉塞された有底筒状の固体電解質体（３）と、
少なくとも前記筒部の外側面（３０１）に設けられて、前記固体電解質体の外側に導かれる検出ガス（Ｇ）に晒される検出電極（４Ａ）と、
少なくとも前記筒部の内側面（３０２）に設けられて、前記固体電解質体の内側に導かれる基準ガス（Ｇ）に晒される基準電極（４Ｂ）と、を有するセンサ素子（２）を備えるガスセンサ（１）において、
前記検出電極は、
前記筒部の中心軸線（Ｏ）に沿った軸方向（Ｌ）の先端側の位置において、前記中心軸線を中心とする周方向（Ｃ）の全周又は一部に設けられた検知電極部（４１）と、
前記軸方向の基端側の位置において、前記周方向の全周又は一部に設けられ、前記筒部の外周に装着された端子金具（７１）と接触する装着電極部（４３）と、
前記検知電極部と前記装着電極部とを繋ぐ位置において、前記周方向の一部に設けられ、前記装着電極部に比べて前記周方向における形成範囲が狭いリード電極部（４２）と、を有し、
前記固体電解質体の前記筒部と前記装着電極部及び前記リード電極部との間には、前記固体電解質体と前記装着電極部及び前記リード電極部との間を絶縁する絶縁層（２２）が設けられており、
前記絶縁層の前記軸方向における基端側の端部（２２２）は、前記筒部の外側面から前記筒部の基端側の端面（３１１）まで連続して設けられており、
前記筒部の基端側の角部に位置する前記絶縁層の角部（２２３）は、曲面状に形成されている、ガスセンサにある。